【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
粉体を圧送する方法であって、
ａ．第一円筒形フィルタ要素（４３８）を囲む第一ポンプ室（４３４）へ吸引を加えて、前記第一ポンプ室（４３４）の吸引サイクル中に前記第一円筒形フィルタ要素（４３８）により囲まれている第一容積（４３８ｃ）内に吸引を形成し、第一ピンチ弁（４８０、ＡＩＮ）を通して前記第一容積（４３８ｃ）内へ粉体を引き込むことと、
ｂ．前記第一円筒形フィルタ要素（４３８）を囲む前記第一ポンプ室（４３４）へ第一正圧空気通路を通して正圧空気を加えて、前記第一ポンプ室（４３４）の送出サイクル中に前記第一円筒形フィルタ要素（４３８）により囲まれている前記第一容積（４３８ｃ）内に正圧状態を形成し、前記第一ポンプ室（４３４）の前記吸引サイクル中に前記第一容積（４３８ｃ）内へ引き込まれた粉体を前記第一容積（４３８ｃ）から第二ピンチ弁（４８１、ＡＯＵＴ）を通して押し出すことと、
ｃ．第二円筒形フィルタ要素（４４０）を囲む第二ポンプ室（４３６）      へ吸引を加えて、前記第二ポンプ室（４３６）の吸引サイクル中に前記第二円筒形フィルタ要素（４４０）により囲まれている第二容積（４４０ｃ）内に吸引を形成し、第三ピンチ弁（４８０、ＢＩＮ）を通して前記第二容積（４４０ｃ）内へ粉体を引き込むことと、
ｄ．前記第二円筒形フィルタ要素（４４０）を囲む前記第二ポンプ室（４３６）へ第二正圧空気通路を通して正圧空気を加えて、前記第二ポンプ室（４３６）の送出サイクル中に前記第二円筒形フィルタ要素（４４０）により囲まれている前記第二容積（４４０ｃ）内に正圧状態を形成し、前記第二ポンプ室（４３６）の前記吸引サイクル中に前記第二容積（４４０ｃ）内へ引き込まれた粉体を前記第二容積（４４０ｃ）から第四ピンチ弁（４８１、ＢＯＵＴ）を通して押し出すことと、
ｅ．前記第一ポンプ室（４３４）の前記吸引サイクルのそれぞれは、前記第一ポンプ室（４３４）の前記送出サイクルのそれぞれと時間が分離しており、且つ、前記第二ポンプ室（４３６）の前記吸引サイクルのそれぞれは、前記第二ポンプ室（４３６）の前記送出サイクルのそれぞれと時間が分離しており、
ｆ．前記第一ポンプ室（４３４）の前記送出サイクル中に前記第一正圧空気通路へ正圧空気を供給する正圧空気供給通路を通る空気流量を監視して、前記正圧空気供給通路を通る監視された空気流量が所望の空気流量範囲よりも低い場合に前記第一正圧空気通路を通る空気流量を増やすことと、
ｇ．前記第二ポンプ室（４３６）の前記送出サイクル中に前記第二正圧空気通路へ正圧空気を供給する前記正圧空気供給通路を通る空気流量を監視して、前記正圧空気供給通路を通る監視された空気流量が所望の空気流量範囲よりも低い場合に前記第二正圧空気通路を通る空気流量を増やすことと
を有することを特徴とする方法。
【請求項２】
前記第一ポンプ室（４３４）へ吸引を加えることは、第一吸引空気通路を通して前記第一ポンプ室（４３４）へ吸引空気を加えて、前記第一ポンプ室（４３４）の前記吸引サイクル中に前記第一円筒形フィルタ要素（４３８）により囲まれている前記第一容積（４３８ｃ）内に負圧状態を形成し、前記第一ピンチ弁（４８０、ＡＩＮ）を通して前記第一容積（４３８ｃ）内へ粉体を引き込むことにより達成され、
前記第二ポンプ室（４３６）へ吸引を加えることは、第二吸引空気通路を通して前記第二ポンプ室（４３６）へ吸引空気を加えて、前記第二ポンプ室（４３６）の前記吸引サイクル中に前記第二円筒形フィルタ要素（４４０）により囲まれている前記第二容積（４４０ｃ）内に負圧状態を形成し、前記第三ピンチ弁（４８０、ＢＩＮ）を通して前記第二容積（４４０ｃ）内へ粉体を引き込むことにより達成され、
前記第一ポンプ室（４３４）の前記吸引サイクル中に前記第一吸引空気通路へ吸引空気を供給する吸引空気供給通路を通る空気流量を監視して、空気流量が所望の空気流量範囲よりも低い場合に前記第一ポンプ室（４３４）内の吸引を増やすことと、
前記第二ポンプ室（４３６）の前記吸引サイクル中に前記第二吸引空気通路へ吸引空気を供給する前記吸引空気供給通路を通る空気流量を監視して、空気流量が所望の空気流量範囲よりも低い場合に前記第二ポンプ室（４３６）内の吸引を増やすことと、
をさらに有することを特徴とする請求項１に記載の方法。
【請求項３】
粉体コーティング材料を圧送する装置であって、
粉体コーティング材料源（７００）と、
ポンプコントローラ（７２０、７３０）と、
第一フィルタ部材（４３８）を囲み、且つ第一容積（４３８ｃ）を囲む第一ポンプ室（４３４）と、
第二フィルタ部材（４４０）を囲み、且つ第二容積（４４０ｃ）を囲む第二ポンプ室（４３６）と、
第一及び第二ポンプ室（４３４、４３６）に接続された吸引空気源（５１８）と、
前記ポンプコントローラ（７３０）は、前記第一ポンプ室（４３４）の吸引サイクル中に、前記吸引空気源（５１８）から前記第一ポンプ室（４３４）へ吸引空気を加えて前記粉体コーティング材料源（７００）から第一ピンチ弁（４８０、ＡＩＮ）を通して前記第一容積（４３８ｃ）内へ粉体コーティング材料を引き込むように動作可能であり、前記ポンプコントローラ（７３０）は、前記第二ポンプ室（４３６）の吸引サイクル中に、前記吸引空気源（５１８）から前記第二ポンプ室（４３６）へ吸引空気を加えて前記粉体コーティング材料源（７００）から第二ピンチ弁（４８０、ＢＩＮ）を通して前記第一容積（４３８ｃ）内へ粉体コーティング材料を引き込むように動作可能であり、
正圧空気供給通路に接続された正圧ガス源（５３４）とを有し、
前記正圧空気供給通路は、前記正圧ガス源（５３４）から第一正圧空気通路を通して前記第一ポンプ室（４３４）へ正圧空気を供給し、前記正圧空気供給通路は、前記正圧ガス源（５３４）から第二正圧空気通路を通して前記第二ポンプ室（４３６）へ正圧空気を供給し、前記ポンプコントローラ（７２０）は、前記第一ポンプ室（４３４）の送出サイクル中に、前記正圧ガス源（５３４）から前記第一ポンプ室（４３４）へ正圧空気を加えて前記第一ポンプ室（４３４）の前記吸引サイクル中に前記第一容積（４３８ｃ）内へ引き込まれた粉体コーティング材料を前記第一容積（４３８ｃ）から押し出すように動作可能であり、前記ポンプコントローラ（７２０）は、前記第二ポンプ室（４３６）の送出サイクル中に、前記正圧ガス源（５３４）から前記第二ポンプ室（４３６）へ正圧空気を加えて前記第二ポンプ室（４３６）の前記吸引サイクル中に前記第二容積（４４０ｃ）内へ引き込まれた粉体コーティング材料を前記第二容積（４４０ｃ）から押し出すように動作可能であり、
前記ポンプコントローラ（７２０，７３０）は、ポンプ空気流制御部（７２０）を有しており、前記ポンプ空気流制御部（７２０）は、前記第一ポンプ室（４３４）の前記送出サイクル中に前記第一正圧空気通路へ正圧空気を供給する前記正圧空気供給通路を通る空気流量を監視し、前記正圧空気供給通路を通る監視された空気流量が所望の空気流量範囲よりも低い場合に前記第一正圧空気通路を通る空気流量を増やし、また、前記ポンプ空気流制御部（７２０）は、前記第二ポンプ室（４３６）の前記送出サイクル中に前記第二正圧空気通路へ正圧空気を供給する前記正圧空気供給通路を通る空気流量を監視し、前記正圧空気供給通路を通る監視された空気流量が所望の空気流量範囲よりも低い場合に前記第二正圧空気通路を通る空気流量を増やすことを特徴とする装置。
【請求項４】
前記吸引空気源（５１８）から、第一吸引空気通路を通して前記第一ポンプ室（４３４）へ及び第二吸引空気通路を通して前記第二ポンプ室（４３６）へ、吸引空気を供給する吸引空気供給通路をさらに有しており、
ポンプコントローラ（７２０、７３０）は、真空空気流制御部（７３０）を有しており、前記真空空気流制御部（７３０）は、前記第一ポンプ室（４３４）の前記吸引サイクル中に前記第一吸引空気通路へ吸引空気を供給する前記吸引空気供給通路を通る空気流量を監視し、前記吸引空気供給通路を通る監視された空気流量が所望の空気流量範囲よりも低い場合に、前記第一吸引空気通路を通る空気流量を増やし、また、前記真空空気流制御部（７３０）は、前記第二ポンプ室（４３６）の前記吸引サイクル中に前記第二吸引空気通路へ吸引空気を供給する前記吸引空気供給通路を通る空気流量を監視し、前記吸引空気供給通路を通る監視された空気流量が所望の空気流量範囲よりも低い場合に、前記第二吸引空気通路を通る空気流量を増やすことを特徴とする請求項３に記載の装置。
【手続補正２】
【補正対象書類名】明細書
【補正対象項目名】発明の名称
【補正方法】変更
【補正の内容】
【発明の名称】粉体を圧送する方法及び粉体コーティング材料を圧送する装置